(57)【特許請求の範囲】
【請求項１】
上下方向に延びた左右一対のガイドレールとこの左右一対のガイドレールに沿って上下移動する複数枚の扉とを備えた扉開閉装置であって、扉の昇降範囲内の所定の高さ位置までは複数枚の扉を垂直状態で保持しながら上下移動させるための垂直状態保持機構を備えると共に、所定の高さ位置で複数枚の扉を２枚一組でくの字状に折り曲げるための折り曲げ機構を備え、上記２枚一組の扉の中央折り曲げ側とは反対側の両端部の軸部にスライドローラが回転自在に取り付けられると共に、各組の上側の扉の軸部にはスライドローラに隣接して設けたスライドシューが固定され、上記ガイドレールには、ガイドレールの上下方向の略全長に亘って上記スライドローラをスライド自在にガイドする第１の溝部が設けられると共に、上記スライドシューの前後両面に摺接してスライドシューを垂直状態でスライド自在にガイドするための第２の溝部が設けられ、上記第２の溝部及びスライドシューによって垂直状態保持機構が構成されており、上記折り曲げ機構は、上記第２の溝部がガイドレールの扉の折れ曲がり位置で途切れたレール切れ目を有し、レール切れ目の上方近傍にスライドシューに設けたトリガーピンに当たって上側の扉をくの字状に折り曲げるためのトリガーが設けられ、このトリガーの前面はスライドローラの上昇移動を妨げない位置に配置される垂直面とされ、トリガーの後面は後方に向かって略山形状に盛り上がっており、第２の溝部のレール切れ目から上方に抜け出したスライドシューのトリガーピンがトリガーの後面に乗り上げることでスライドシューが軸部を中心に一方向に回転して２枚一組の扉がくの字状に折り曲がるように構成され、扉の下降の際には、くの字状に折り曲げられている扉のスライドシューがレール切れ目に当たり、扉をくの字状から垂直状態に伸ばすことができるようにしたことを特徴とする扉開閉装置。
【請求項２】
２枚一組の扉は、中央折り曲げ側の端部が折り曲げ用の丁番を介して枢着されていると共に、その中央折り曲げ側の端部に扉が正規の折り曲げ方向と逆方向に曲がるのを防止するための逆曲がり防止手段を設けたことを特徴とする請求項１記載の扉開閉装置。
【請求項３】
２枚一組の扉は、くの字状に折り曲げられたときに、その開き角度を一定角度以上に保持するためのスペーサを備えていることを特徴とする請求項１又は請求項２記載の扉開閉装置。
【請求項４】
上下方向に延びた左右一対のガイドレールとこの左右一対のガイドレールに沿って上下移動する複数枚の扉とを備えた扉開閉装置であって、扉の昇降範囲内の所定の高さ位置までは複数枚の扉を垂直状態で保持しながら上下移動させるための垂直状態保持機構を備えると共に所定の高さ位置で複数枚の扉を２枚一組でくの字状に折り曲げるための折り曲げ機構を備え、上記複数枚の扉は、２枚一組で複数組に分離されており、上記垂直状態保持機構は、ガイドレールの上下方向に設けられた溝部と、分離された各組の下側の扉の軸部に設けられて上記溝部に沿って上下移動するスライドシューと、スライドシューに対向する他の組の上側の扉の軸部に設けられてスライドシューを受けるスライドシュー受けとを備え、上記折り曲げ機構は、上記ガイドレールの扉の折り曲げ位置に設けられるレール切れ目近傍に設けたトリガーピンと、上記スライドシュー受けの上面に設けられて上記トリガーピンに当たって扉をくの字状に折り曲げるためのトリガー当たり面とを備え、各組の扉が垂直状態で上昇する際にはスライドシューとスライドシュー受けとが接触することによってすべての扉が連動してガイドレールに沿って上方又は下方に動くことができるようにしたことを特徴とする扉開閉装置。
【発明の詳細な説明】
【０００１】
【発明の属する技術分野】
本発明は、例えばシステムキッチンの食器棚や収納用のクローゼット等に用いる扉開閉装置に関するものである。
【０００２】
【従来の技術】
従来より、窓を開閉する扉としては、複数枚の扉をつづら折れ状に曲げて、左右方向或いは上下方向に開閉するものが知られている。しかしながら従来の左右方向に開閉するものでは扉がくの字状に曲がってその廻りに置いてある物に扉が当ってしまい、また上下方向に開閉するものでは、下から上に上げるときに下側の扉からくの字状に折れ曲がるように構成されているため、やはり廻りに置いてある物に扉が当ってしまうこととなり、このため従来では扉の開閉の挙動がその廻りのものに影響を与えてしまうという問題があり、扉の設置場所に制約を受け、空間を有効的に利用できないものであった。
【０００３】
【発明が解決しようとする課題】
本発明は、上記の従来例の問題点に鑑みて発明したものであって、その目的とするところは、扉が上下方向に開閉する際に扉の開閉の挙動が廻りのものに影響を与えてしまうことがなく、設置場所に制約を受けることのない扉開閉装置を提供することにある。
【０００４】
【課題を解決するための手段】
上記課題を解決するために本発明にあっては、上下方向に延びた左右一対のガイドレール２とこの左右一対のガイドレール２に沿って上下移動する複数枚の扉３とを備えた扉開閉装置であって、扉３の昇降範囲Ｌ内の所定の高さ位置までは複数枚の扉３を垂直状態で保持しながら上下移動させるための垂直状態保持機構４を備えると共に、所定の高さ位置で複数枚の扉３を２枚一組でくの字状に折り曲げるための折り曲げ機構５ｂを備え、上記２枚一組の扉３の中央折り曲げ側とは反対側の両端部の軸部１０にスライドローラ１８が回転自在に取り付けられると共に、各組の上側の扉３の軸部１０にはスライドローラ１８に隣接して設けたスライドシュー１１が固定され、上記ガイドレール２には、ガイドレール２の上下方向の略全長に亘って上記スライドローラ１８をスライド自在にガイドする第１の溝部１９が設けられると共に、上記スライドシュー１１の前後両面に摺接してスライドシュー１１を垂直状態でスライド自在にガイドするための第２の溝部２０が設けられ、上記第２の溝部２０及びスライドシュー１１によって垂直状態保持機構４が構成されており、上記折り曲げ機構５ｂは、上記第２の溝部２０がガイドレール２の扉３の折れ曲がり位置で途切れたレール切れ目６を有し、レール切れ目６の上方近傍にスライドシュー１１に設けたトリガーピン３３に当たって上側の扉３をくの字状に折り曲げるためのトリガー１５ｂが設けられ、このトリガー１５ｂの前面１５ｇはスライドローラ１８の上昇移動を妨げない位置に配置される垂直面とされ、トリガー１５ｂの後面１５ｃは後方に向かって略山形状に盛り上がっており、第２の溝部２０のレール切れ目６から上方に抜け出したスライドシュー１１のトリガーピン３３がトリガー１５ｂの後面１５ｃに乗り上げることでスライドシュー１１が軸部１０を中心に一方向に回転して２枚一組の扉３がくの字状に折り曲がるように構成され、扉３の下降の際には、くの字状に折り曲げられている扉３のスライドシュー１１がレール切れ目６に当たり、扉３をくの字状から垂直状態に伸ばすことができるようにしたことを特徴としており、このように構成することで、２枚一組の扉３をくの字状に折り曲げる動作を所定の高さ位置のみで行なうようにし、それよりも下方では扉３を垂直状態に伸ばして上下移動させることによって、廻りに置いてある物に扉３が当ってしまうことがなく、扉３の開閉の挙動が廻りの物に影響を与えないものとなる。
【０００５】
また上記２枚一組の扉３は、中央折り曲げ側の端部が折り曲げ用の丁番７を介して枢着されていると共に、その中央折り曲げ側の端部に扉３が正規の折り曲げ方向と逆方向に曲がるのを防止するための逆曲がり防止手段８を設けたことを特徴とするのが好ましく、この場合、逆曲がり防止手段８によって扉３を正規の方向に曲げることができるようになり、扉３を上方に上げていくときに、丁番７の性質から扉３に対して曲げたい方向と異なる方向へ曲げようとする力が働いて丁番７に無理がかかったりすることがなくなる。
【０００６】
また上記２枚一組の扉３がくの字状に折り曲げられたときに、その開き角度θを一定角度以上に保持するためのスペーサ９を備えていることを特徴とするのが好ましく、この場合、扉３の開き角度θを規制できるので扉３同士が干渉して破損の原因となったり、丁番７の破損につながることがなくなる。
【０００７】
また上下方向に延びた左右一対のガイドレール２とこの左右一対のガイドレール２に沿って上下移動する複数枚の扉３とを備えた扉開閉装置であって、扉３の昇降範囲内の所定の高さ位置までは複数枚の扉３を垂直状態で保持しながら上下移動させるための垂直状態保持機構４を備えると共に、所定の高さ位置で複数枚の扉３を２枚一組でくの字状に折り曲げるための折り曲げ機構５ｂを備え、上記複数枚の扉３は、２枚一組で複数組に分離されており、上記垂直状態保持機構４は、ガイドレール２の上下方向に設けられた溝部２０と、分離された各組の下側の扉３の軸部１０に設けられて上記溝部２０に沿って上下移動するスライドシュー１１と、スライドシュー１１に対向する他の組の上側の扉３の軸部１０に設けられてスライドシュー１１を受けるスライドシュー受け１３とを備え、上記折り曲げ機構５ｂは、上記ガイドレール２の扉３の折り曲げ位置に設けられるレール切れ目６近傍に設けたトリガーピン１５ｅと、上記スライドシュー受け１３の上面に設けられて上記トリガーピン１５ｅに当たって扉３をくの字状に折り曲げるためのトリガー当たり面１４とを備え、各組の扉３が垂直状態で上昇する際にはスライドシュー１１とスライドシュー受け１３とが接触することによってすべての扉３が連動してガイドレール２に沿って上方又は下方に動くことができるようにしたことを特徴とする。このように構成することで、２枚一組の扉３をくの字状に折り曲げる動作を所定の高さ位置のみで行なうようにし、それよりも下方では扉３を垂直状態に伸ばして上下移動させることによって、廻りに置いてある物に扉３が当ってしまうことがなく、扉３の開閉の挙動が廻りの物に影響を与えないものとなる。また扉３を２枚一組ごとに分離することで、施工の際も全体を一度に組み付ける必要がなく、施工に手間がかからず、また扉３が傷ついた場合、扉１枚の交換が可能となり、施工性や交換の効率がアップする。
【０００８】
【発明の実施の形態】
以下、本発明を添付図面に示す実施形態に基づいて説明する。
【０００９】
図１（ａ）は本実施形態の扉開閉装置１の偶数枚の扉３が伸びた状態を示す模式図、図１（ｂ）は最上段の組の扉３のみがくの字状に折り畳まれた状態を示す模式図、図１（ｃ）はくの字状に折り曲げられた扉３の開き角度θをスペーサ９によって一定以上に保つ場合の模式図である。
【００１０】
本実施形態の扉開閉装置１は、上下方向に延びた左右一対のガイドレール２とこの左右一対のガイドレール２に沿って上下移動する偶数枚（例えば６枚）の扉３とを備えている。さらに、扉３の昇降範囲Ｌ（図１（ａ））内の所定の高さ位置までは各扉３を垂直状態で保持しながら上下移動させるための垂直状態保持機構４（図６（ａ））と、所定の高さ位置で各扉３を２枚一組でくの字状に折り曲げるための折り曲げ機構５ａ，５ｂ（図６（ａ））とを備えている。なお以下の例では６枚の扉３を説明するが、もちろん扉３の枚数は６枚に限らず、適宜設計変更自在である。
【００１１】
上記６枚の扉３は、図３に示すように、折り曲げ用の丁番７と連結用の丁番１６とを用いて、つづら折れ状に連続的に枢着されており、２枚一組でくの字状に折り曲げ自在となっている。図３中の１７は扉３の上限位置を検知してモータを停止させるためのリミットスイッチである。
【００１２】
上記各組の一方の扉３にはその中央折り曲げ側とは反対側の両端部に、図４に示すように、軸部１０がそれぞれ突出しており、各軸部１０にはスライドローラ１８が回転自在に取り付けられ、このスライドローラ１８がガイドレール２の第１の溝部１９に沿ってスライド自在にガイドされるようになっている。この第１の溝部１９は、ガイドレール２の上下方向の略全長に亘って設けられている。図４中の５０はカバーである。
【００１３】
図３に示すように、最下段の扉３ｃの駆動軸１０ａにはワイヤー２１が固定されており、このワイヤー２１はガイドレール２の下端に設けたプーリー２２ａと上端に設けた前後一対のプーリー２２ｂとを介して正逆回転可能なモータ軸２４に連結されている。モータ軸２４の一方向の回転によりワイヤー２１が巻き取られて上記駆動軸１０ａが上昇して各扉３全体が下から上に上がっていき、モータ軸２４の逆回転によりワイヤー２１が巻き出されて駆動軸１０ａが下降して各扉３全体が上から下に下げられるようになっている。なおモータ２３はガイドレール２の上部後方（扉３の折り曲げ方向と反対方向）に突設されたモータ取付台２５に取り付けられている。なお本例では、電動により扉３を昇降する場合を説明するが、もちろん手動で昇降するものであってもよい。
【００１４】
また、各組の扉３の軸部１０及び駆動軸１０ａには、前述したスライドローラ１８に隣接してスライドシュー１１が回転自在に支持されている。このスライドシュー１１は、スライドローラ１８よりも幅広とされ、ガイドレール２の第１の溝部１９よりも幅広の第２の溝部２０内にスライド自在に挟み込まれ、上下移動のみが可能となっている。このスライドシュー１１の前後両面は第２の溝部２０の前後両面に摺接する構造となっており、第２の溝部２０に沿って垂直状態を保持された状態で上下方向にスライドするようになっている。このスライドシュー１１は固定板９０（図３）を介して上側の扉３に固定されており、スライドシュー１１が第２の溝部２０内で垂直状態にあるときは上側の扉３も垂直状態に保持されるものであり、これら第２の溝部２０及びスライドシュー１１によって、扉３の昇降範囲Ｌ（図１（ａ））内の所定の高さ位置まで各扉３を垂直状態で保持しながら上下移動させるための垂直状態保持機構４が構成されている。つまり、最上段の組の扉３のカム状シュー１２と他の組の扉３のスライドシュー１１とは形状は異なるが、扉３を折り曲げる機能に関しては同様である。
【００１５】
次に、各扉３を２枚一組で垂直状態からくの字状に折り曲げるための折り曲げ機構５ａ，５ｂについて説明する。
【００１６】
先ず、最上段の２枚一組の扉３（３ａ，３ｂ）は折り曲げ機構５ａ（図６（ａ））によって折り曲げられる。最上段の扉３ａには固定板９１（図３）によりカム状シュー１２の基部が固定されており、ガイドレール２の上端部にはカム状シュー１２を一方向に回転させるための上部トリガー１５ａが設けられている。上部トリガー１５ａは図５に示すように、カム状シュー１２の上面に対向する上部ストッパー面３０と、カム状シュー１２の先端に当接する下部ストッパー面３１とを備えると共に、上部ストッパー面３０と下部ストッパー面３１との間はカム状シュー１２が上下に移動可能なスペース３２となっている。そして、最上段の扉３ａが上昇すると、図５（ｂ）のようにカム状シュー１２の上面が上部ストッパー面３０に当たり、これによってカム状シュー１２が軸部１０廻りに一方向に回転し、このとき扉３ａもカム状シュー１２と同じ方向に回転する。さらに扉３ａが上昇すると図５（ｃ）のようにカム状シュー１２が下部ストッパー面３１に当たってそれ以上の回転が阻止され、これにより扉３ａの回転も止まり、最上段の２枚一組の扉３ａ，３ｂがくの字状に折り曲げられた状態（図３の状態）で保持されるようになっている。
【００１７】
次に最上段の組以外の他の組の扉３の折り曲げ機構５ｂ（図６（ａ））について説明する。ガイドレール２には、扉３のスライドシュー１１を垂直状態でガイドするための第２の溝部２０が設けられている。この第２の溝部２０は、図６（ａ）に示すように、ガイドレール２の扉３の折れ曲がり位置で途切れたレール切れ目６となっており、その上方近傍にスライドシュー１１に設けたトリガーピン３３に当たって上側の扉３をくの字状に折り曲げるための下部トリガー１５ｂが設けられている。この下部トリガー１５ｂの前面１５ｇは垂直面とされ、スライドローラ１８の上昇移動を妨げない位置に配置され、また下部トリガー１５ｂの後面１５ｃは後方に向かって略山形状に盛り上がっており、第２の溝部２０のレール切れ目６から上方に抜け出したスライドシュー１１のトリガーピン３３が下部トリガー１５ｂの後面１５ｃに乗り上げることでスライドシュー１１が軸部１０を中心に一方向に回転すると共にトリガーピン３３が下部トリガー１５ｂから離れていき、扉３が一方向に回転して、２枚一組の扉３がくの字状に折り曲がるようになっている。なおガイドレール２のレール切れ目６は扉３の回転運動を可能とし、また扉３の下降の際には上段のくの字状に折り曲げられている扉３のスライドシュー１１がレール切れ目６に当たり、その扉３が落下することを防止できると共に、それよりも下段の組の扉３をくの字状から垂直状態に伸ばすことができるようになっている。
【００１８】
さらに各組の下側の扉３ｂのスライドローラ１８の上部には、それぞれ、スペーサ（ローラスペーサ）９が配置されており、２枚一組の扉３がくの字状に折り曲げられたときに、隣り合う組の扉３の軸部１０，１０間にスペーサ９が挟み込まれるものである。本例では、図４、図６〜図９に示すように、スペーサ９はスライドローラ１８の上面に載置されている。つまりスペーサ９はスライドローラ１８の上に乗っており、スライドローラ１８の上下移動に追随して第１の溝部１９内を上下移動するものである。なお図４に示すように、スペーサ９の前後両面は第１の溝部１９で挟み込まれ、スペーサ９の左右両面はスライドシュー１１とガイドレール２の突条部４０とで挟まれているため、スライドローラ１８の上に乗せたでもスペーサ９が傾いたりすることがなく、２枚一組の扉３の開き角度θを一定角度以上に保つ機能を果すものである。
【００１９】
次に扉３の開閉動作について説明する。モータ２３を一方向に回転させると、ワイヤー２１が巻き取られていき、最下段の扉３の駆動軸１０ａがワイヤー２１によって上方に引き上げられ、扉３全体が上方に上げられる。このとき各扉３は図６（ａ）のように垂直状態にあるため、各扉３は垂直状態のままで上昇を始める。そして全体の扉３が少し上昇すると、図６（ｂ）、図５（ｂ）のように最上段の扉３ａに固定したカム状シュー１２が上部トリガー１５ａの上部ストッパー面３０に当たり、ある決められた方向（本例では図２、図５（ｃ）の矢印ｈで示す方向）に回転する力が発生する。この力により、上側の扉３ａを一定方向に折り曲げることができ、図６（ｃ）のように最上段の２枚一組の扉３ａ，３ｂが丁番７を介してくの字状に折り曲げられる。つまり折り曲がる際にはカム状シュー１２が上部トリガー１５ａに当たることで、最上段の扉３ａの上昇が緩和され、扉３ａの折れ曲がりが起こる。続いて、図７（ａ）、（ｂ）のように次の組の扉３のスライドシュー１１がガイドレール２のレール切れ目６から上方に抜け出すことで、スライドシュー１１に設けたトリガーピン３３が下部トリガー１５ｂの後面１５ｃに当たって、扉３に回転する力が発生し、２枚一組の扉３が丁番７を介してくの字状に折り曲げられる。つまり折り曲がる際にはスライドシュー１１が下部トリガー１５ｂに当たることで、扉３の上昇が緩和され、扉３の折れ曲がりが起こり易くなる。続いて、図８（ａ）〜（ｃ）、図９（ａ）（ｂ）のように各組の扉３がすべてガイドレール２のレール切れ目６の位置でくの字状に折り曲げることによって、扉３の開動作が終了する。閉時には、逆に一番下の組から順番に伸びていき、最終的にすべての扉３が垂直状態となった閉状態となる。
【００２０】
しかして、上記のように２枚一組の扉３をくの字状に折り曲げる動作を所定の高さ位置のみで行なうようにし、それよりも下方では扉３を垂直状態に伸ばして上下移動させるものとなる。これにより、扉３を上下方向に動かして開閉するときに、その廻りに置いてある物に扉３が当ってしまうことがない。例えば、システムキッチンの食器棚や収納用のクローゼットに用いる扉３を上方に上げることで開閉する方式であっても、２枚一組の扉３の折り曲げをある高さ位置から行い、下の位置では垂直状態で伸ばすことで扉３の開閉の挙動が廻りの物に影響を与えないものとなり、これによって扉開閉装置１の設置場所に制約を受けることもなくなり、空間を有効的に利用できるものである。
【００２１】
また本例では、１つのモータ２３で扉３を所定の高さまで上昇させる動作を行ない、且つ所定の高さに達したときにくの字状に折り曲げる動作を行なうことができるので、モータ２３の数が１つで済み、コストを低く抑えることができると共に、モータ２３の制御が簡易なものとなり、そのうえモータ２３の設置スペースをとらないためにインテリア性に優れたものとなる。
【００２２】
また、各扉３の軸部１０に設けられているスライドシュー１１は、ガイドレール２の第２の溝部２０に挟み込まれているため、扉３の安定した上下移動が可能となると共に、第２の溝部２０の途切れた部分（レール切れ目６の上方近傍）でスライドシュー１１に設けたトリガーピン３３が下部トリガー１５ｂと当たり、回転運動のきっかけをなすことで、扉３の折り曲げ動作が円滑に行なわれることとなる。
【００２３】
また２枚一組の扉３がくの字状に折り曲げられたときには、図９（ｂ）のように、各組の扉３の両端部の軸部１０，１０間及び１０，１０ａ間の距離がそれぞれスペーサ９によって一定距離以上に保持されるため、扉３を上方で曲げて行く際に、そのくの字状の曲げ角度θが規制されるようになる。ちなみに開き角度θを規制しないと、例えば図１５に示すように２枚一組の扉３，３の角度が詰まり、扉３同士が重なり合って干渉し、破損の原因となったり、丁番７の破損につながる。また下降動作時に動きが悪くなったり、矢印ハで示す方向に動かなくなるおそれがある。そこで開き角度θを規制するためのスペーサ９を扉３の軸部１０，１０間、及び１０，１０ａ間に設置することでスペーサ９が当てとなり、くの字状の角度を規制できるものとなる。
【００２４】
また本例では、ガイドレール２の扉３の折り曲げ位置にレール切れ目６を設けてあるので、このレール切れ目６で扉３の回転運動が可能となり、扉３が垂直状態からくの字状に折り曲げられるとき又はくの字状から垂直状態に伸ばされるようになる。また下降の際には上段のくの字状に折り曲げられている扉３のスライドシュー１１がレール切れ目６に当たることで、扉３の落下を防止できる。つまり図８（ａ）（ｂ）に示すように、上段の組の扉３のスライドシュー１１がレール切れ目６に当たり、下降時にはそれより上の扉３が落下してこなくなる。また扉３のスライドシュー１１をレール切れ目６にて仮保持できるので、それよりも下側の扉３をくの字状から垂直状態に伸ばすことができ、扉３の下降動作もスムーズに行なわれることとなる。
【００２５】
図１０は本発明は他の実施形態を示している。本例では、２枚一組の扉３の中央折り曲げ側の端部を丁番７を介して枢着した構造において、その中央折り曲げ側の端部に扉３が正規の折り曲げ方向と逆方向に曲がるのを防止するための逆曲がり防止手段８を設けた場合を示している。本例の逆曲がり防止手段８は、扉３の折り曲げ側の端面に突起８ａを設け、折り曲げたときに扉３の端面間に突起８ａが介在されることで扉３のそれ以上の折り曲げができないようにしている。ちなみに、突起８ａがない場合、図１０（ａ）の状態で扉３全体を上方に上げていくと、丁番７の性質から扉３に対して曲げたい方向と異なる方向へ曲げようとする力が働き、この場合、丁番７に無理がかかり、信頼性を大きく損なうという問題がある。なお図１０中の矢印ｄは曲げたい方向、ｅは実際の曲がる方向、ｆは実際の働く力を示している。この解決策として、本例では図１０に示すように、扉３の折り曲げ側の端面に突起８ａを設け、逆反りをなくす構造とした。つまり扉３が反対に曲がろうとしても扉３間に突起８ａがあるため、扉３は、その方向には曲がることができない。従って、扉３は垂直状態を保ったままで上昇し、正規の高さ位置で正規の方向（矢印ｄの方向）に曲げられるようになる。なお、扉３の端面に突起８ａを設ける構造に変えて、スペーサを取り付けるようにしてもよいものである。
【００２６】
図１１、図１２は本発明の更に他の実施形態を示している。本例では、偶数枚の扉３は、２枚一組で、複数組に分離されている。ちなみに、例えば６枚の扉３すべてが丁番１６（図１）により一体化されていると、施工の際も全体を一度に組み付ける必要があり、非常に手間がかかるものとなり、また扉３が傷ついた場合、扉１枚の交換ができずに、全体交換となるので非常に不便である。そこで、２枚一組を１セットとして、その間の丁番１６を不要とする分離構造とすることで、施工性や交換の効率がアップする。また本例では、２枚一組の扉３間には丁番１６の代わりに、スライドシュー１１とスライドシュー受け１３とを設置したものである。最上段の扉３ａの軸部にはスライドシュー１１のみが設けられている。図１３、図１４を参照してスライドシュー１１及びスライドシュー受け１３を説明する。スライドシュー１１及びスライドシュー受け１３には、扉３の軸部１０に回転自在に嵌め込まれる軸孔６０が設けられており、スライドシュー１１の両側下面７０にスライドシュー受け１３の両側上面７２が当接することで、下段の２枚一組の扉３のスライドシュー受け１３がガイドレール２に沿って上下移動できるようになっている。つまり扉３が上昇する際はスライドシュー１１とスライドシュー受け１３とが接触することによってすべての扉３が連動して上方又は下方に動くことができる。またスライドシュー受け１３の中央上面には片面がテーパー面状のトリガー当たり面１４となったリブ７３が突設されており、このリブ７３はスライドシュー１１の中央開口７１に挿入されている。ここで、最上段の扉３ａに設けられるスライドシュー１１のトリガー当たり面１４は、ガイドレール２の上端部に設けたトリガーピン１５ｅ（図１１（ａ））に対向しており、このトリガー当たり面１４とトリガーピン１５ｅとで最上段の扉３ａ，３ｂの折り曲げ機構５ａが構成される。また、最上段の組以外の他の扉３に設けられるスライドシュー１１のトリガー当たり面１４は、ガイドレール２のレール切れ目６近傍に設けたトリガーピン１５ｄ（図１１（ａ））に対向しており、このトリガー当たり面１４とトリガーピン１５ｄとで各扉３，３の折り曲げ機構５ｂが構成される。またスライドシュー受け１３と第２の溝部２０とで、扉３を垂直状態に保持して昇降させるための垂直状態保持機構４が構成される。なお図１１（ａ）、（ｂ）は最上段の組の扉３ａ，３ｂが丁番７を介してくの字状に折り曲げられる過程を示し、図１１（ｃ）は次の組の扉３の折れ曲がり動作を示し、図１２（ａ）はさらに次の扉３の折れ曲がり動作を示し、図１２（ｂ）は各組の扉３がすべてくの字状に折り曲げられた状態を示している。本例では、トリガー当たり面１４とスライドシュー受け１３とが一体形成されているため、少ない部品数で、扉３の上下動作と折り曲げ動作とを行なうことができるという利点もある。
【００２７】
【発明の効果】
上述のように請求項１記載の発明にあっては、上下方向に延びた左右一対のガイドレールとこの左右一対のガイドレールに沿って上下移動する複数枚の扉とを備えた扉開閉装置であって、扉の昇降範囲内の所定の高さ位置までは複数枚の扉を垂直状態で保持しながら上下移動させるための垂直状態保持機構を備えると共に、所定の高さ位置で複数枚の扉を２枚一組でくの字状に折り曲げるための折り曲げ機構を備え、上記２枚一組の扉の中央折り曲げ側とは反対側の両端部の軸部にスライドローラが回転自在に取り付けられると共に、各組の上側の扉の軸部にはスライドローラに隣接して設けたスライドシューが固定され、上記ガイドレールには、ガイドレールの上下方向の略全長に亘って上記スライドローラをスライド自在にガイドする第１の溝部が設けられると共に、上記スライドシューの前後両面に摺接してスライドシューを垂直状態でスライド自在にガイドするための第２の溝部が設けられ、上記第２の溝部及びスライドシューによって垂直状態保持機構が構成されており、上記折り曲げ機構は、上記第２の溝部がガイドレールの扉の折れ曲がり位置で途切れたレール切れ目を有し、レール切れ目の上方近傍にスライドシューに設けたトリガーピンに当たって上側の扉をくの字状に折り曲げるためのトリガーが設けられ、このトリガーの前面はスライドローラの上昇移動を妨げない位置に配置される垂直面とされ、トリガーの後面は後方に向かって略山形状に盛り上がっており、第２の溝部のレール切れ目から上方に抜け出したスライドシューのトリガーピンがトリガーの後面に乗り上げることでスライドシューが軸部を中心に一方向に回転して２枚一組の扉がくの字状に折り曲がるように構成され、扉の下降の際には、くの字状に折り曲げられている扉のスライドシューがレール切れ目に当たり、扉をくの字状から垂直状態に伸ばすことができるようにしたので、２枚一組の扉をくの字状に折り曲げる動作を所定の高さ位置のみで行なうようにし、それよりも下方では扉を垂直状態に伸ばして上下移動させることによって、廻りに置いてある物に扉が当ってしまうことがなく、扉の開閉の挙動が廻りの物に影響を与えないものとなる。
【００２８】
また請求項２記載の発明は、請求項１記載の効果に加えて、２枚一組の扉は、中央折り曲げ側の端部が折り曲げ用の丁番を介して枢着されていると共に、その中央折り曲げ側の端部に扉が正規の折り曲げ方向と逆方向に曲がるのを防止するための逆曲がり防止手段を設けたので、扉を上方に上げていくときに、丁番の性質から扉に対して曲げたい方向と異なる方向へ曲げようとする力が働くと、丁番に無理がかかり、信頼性を大きく損なうという問題が生じるが、逆曲がり防止手段によって扉を正規の方向に曲げることができるようになり、丁番の長寿命及び扉の高信頼性を得ることができる。
【００２９】
また請求項３記載の発明は、請求項１又は請求項２に記載の効果に加えて、２枚一組の扉がくの字状に折り曲げられたときに、その開き角度を一定角度以上に保持するためのスペーサを備えているので、扉を上方で曲げて行く際に、そのくの字状の曲げ角度をスペーサによって規制できるようになり、従って、扉同士が干渉して破損の原因となったり、丁番の破損につながるという問題を解消できるものである。
【００３０】
また請求項４記載の発明は、上下方向に延びた左右一対のガイドレールとこの左右一対のガイドレールに沿って上下移動する複数枚の扉とを備えた扉開閉装置であって、扉の昇降範囲内の所定の高さ位置までは複数枚の扉を垂直状態で保持しながら上下移動させるための垂直状態保持機構を備えると共に所定の高さ位置で複数枚の扉を２枚一組でくの字状に折り曲げるための折り曲げ機構を備え、上記複数枚の扉は、２枚一組で複数組に分離されており、上記垂直状態保持機構は、ガイドレールの上下方向に設けられた溝部と、分離された各組の下側の扉の軸部に設けられて上記溝部に沿って上下移動するスライドシューと、スライドシューに対向する他の組の上側の扉の軸部に設けられてスライドシューを受けるスライドシュー受けとを備え、上記折り曲げ機構は、上記ガイドレールの扉の折り曲げ位置に設けられるレール切れ目近傍に設けたトリガーピンと、上記スライドシュー受けの上面に設けられてトリガーピンに当たって扉をくの字状に折り曲げるためのトリガー当たり面とを備え、各組の扉が垂直状態で上昇する際にはスライドシューとスライドシュー受けとが接触することによってすべての扉が連動してガイドレールに沿って上方又は下方に動くことができるようにしたので、２枚一組の扉をくの字状に折り曲げる動作を所定の高さ位置のみで行なうようにし、それよりも下方では扉を垂直状態に伸ばして上下移動させることによって、廻りに置いてある物に扉が当ってしまうことがなく、扉の開閉の挙動が廻りの物に影響を与えないものであり、しかも扉を２枚一組ごとに分離することで、施工の際も全体を一度に組み付ける必要がなく、施工に手間がかからず、また扉が傷ついた場合、扉１枚の交換が可能となり、施工性や交換の効率がアップする。また分離された扉全体をスライドシューとスライドシュー受けとによって下移動できるようになり、しかもトリガー当たり面によって扉の回転動作も可能となる。
【図面の簡単な説明】
【図１】  本発明の実施形態の一例を示し、（ａ）はすべての扉が垂直状態にある場合を示す模式図、（ｂ）は最上段の扉のみがくの字状に折り曲げられた場合を示す模式図、（ｃ）はスペーサによってくの字状に折り曲げられた扉の開き角度が規制される場合を示す模式図である。
【図２】  同上の最上段の扉に取り付けられるカム状シューと上部トリガーとの関係を示す概略側面図である。
【図３】  同上の扉全体がくの字状に折り曲げられた状態を示す側面図である。
【図４】  同上のガイドレールの内部構造を説明する平面断面図である。
【図５】  （ａ）〜（ｃ）は同上のカム状シューの回転動作説明図である。
【図６】  （ａ）〜（ｃ）は同上の最上段の組の扉が垂直状態からくの字状に折り曲げられる状態の説明図である。
【図７】  （ａ）、（ｂ）は同上の次の組の扉が垂直状態からくの字状に折り曲げられる状態の説明図である。
【図８】  （ａ）〜（ｃ）は同上の更に次の組の扉が垂直状態からくの字状に折り曲げられる状態の説明図である。
【図９】  （ａ）、（ｂ）は同上のすべての扉がくの字状に折り曲げられた状態の説明図である。
【図１０】  本発明の他の実施形態を示し、（ａ）は逆曲がり防止手段を備えた扉が垂直状態にある場合を示し、（ｂ）は逆曲がり防止手段を説明する概略側面図である。
【図１１】  本発明の更に他の実施形態の一例を示し、（ａ）、（ｂ）は最上段の組の扉がくの字状に折り曲げられる過程を示し、（ｃ）は次の組の扉の折れ曲がり動作を示す側面図である。
【図１２】  （ａ）（ｂ）すべての扉がくの字状に折り曲げられる状態を示す側面図である。
【図１３】  図１１（ａ）のイ部の拡大図である。
【図１４】  図１３のスライドシューとスライドシュー受けとの分解斜視図である。
【図１５】  同上のスペーサがない場合において扉同士が重なった状態を示す参考図である。
【符号の説明】
１  扉開閉装置
２  ガイドレール
３  扉
４  垂直状態保持機構
５  折り曲げ機構
６  レール切れ目
７  丁番
８  逆曲がり防止手段
９  スペーサ
１０  軸部
１１  スライドシュー
１３  スライドシュー受け
１４  トリガー当たり面
１５  トリガー
Ｌ  昇降範囲
θ  開き角度
【図１】
0003714227.tif 000002
【図２】
0003714227.tif 000003
【図３】
0003714227.tif 000004
【図４】
0003714227.tif 000005
【図５】
0003714227.tif 000006
【図６】
0003714227.tif 000007
【図７】
0003714227.tif 000008
【図８】
0003714227.tif 000009
【図９】
0003714227.tif 000010
【図１０】
0003714227.tif 000011
【図１１】
0003714227.tif 000012
【図１２】
0003714227.tif 000013
【図１３】
0003714227.tif 000014
【図１４】
0003714227.tif 000015
【図１５】
0003714227.tif 000016